(57)【特許請求の範囲】
【請求項１】
患者の状態に関する状態情報を測定するために予約された測定機器から、前記予約された測定機器の第１識別情報を取得する第１取得手段と、
前記第１識別情報を事前登録する登録手段と、
状態情報を測定した測定機器から、前記測定した測定機器の第２識別情報と前記状態情報とを取得する第２取得手段と、
前記第１識別情報と前記第２識別情報とを比較する比較手段と、
前記比較手段の比較の結果、前記第１識別情報と前記第２識別情報とが一致していることを条件として、前記第２取得手段が取得した前記状態情報を情報処理装置に送信する送信手段と、
前記登録手段への登録からの経過時間が閾値を超えた場合、および、前記予約された測定機器が通信端末から所定距離範囲外に移動したことを検出した場合、の少なくともいずれか一方の場合に、前記予約の解除として前記登録手段から前記第１識別情報を削除する予約解除手段と、
を備える通信端末。
【請求項２】
測定の正しさを確認できる第１確認情報を前記予約された測定機器に送信する送信手段をさらに備え、
前記登録手段は、前記第１識別情報と前記第１確認情報との第１組を登録し、
前記第２取得手段は、前記測定した測定機器から、測定された状態情報、および、前記測定した測定機器の第２識別情報と測定の正しさを確認できる第２確認情報との第２組を取得し、
前記比較手段は、前記第２組と前記第１組とを比較し、
前記送信手段は、前記第２組と前記第１組とが一致していることを条件として、前記第２取得手段が取得した前記状態情報を情報処理装置に送信する請求項１に記載の通信端末。
【請求項３】
前記第１確認情報および前記第２確認情報は、前記状態情報を測定する患者を識別する患者識別情報を含む請求項２に記載の通信端末。
【請求項４】
患者の状態に関する状態情報を測定するために予約された測定機器から、前記予約された測定機器の第１識別情報を取得する第１取得ステップと、
前記第１識別情報を登録手段に事前登録する登録ステップと、
状態情報を測定した測定機器から、前記測定した測定機器の第２識別情報と前記状態情報とを取得する第２取得ステップと、
前記第１識別情報と前記第２識別情報とを比較する比較ステップと、
前記比較ステップにおける比較の結果、前記第１識別情報と前記第２識別情報とが一致していることを条件として、前記第２取得ステップにおいて取得した前記状態情報を情報処理装置に送信する送信ステップと、
前記登録手段への登録からの経過時間が閾値を超えた場合、および、前記予約された測定機器が通信端末から所定距離範囲外に移動したことを検出した場合、の少なくともいずれか一方の場合に、前記予約の解除として前記登録手段から前記第１識別情報を削除する予約解除ステップと、
を含む通信端末の制御方法。
【請求項５】
患者の状態に関する状態情報を測定するために予約された測定機器から、前記予約された測定機器の第１識別情報を取得する第１取得ステップと、
前記第１識別情報を登録手段に事前登録する登録ステップと、
状態情報を測定した測定機器から、前記測定した測定機器の第２識別情報と前記状態情報とを取得する第２取得ステップと、
前記第１識別情報と前記第２識別情報とを比較する比較ステップと、
前記比較ステップにおける比較の結果、前記第１識別情報と前記第２識別情報とが一致していることを条件として、前記第２取得ステップにおいて取得した前記状態情報を情報処理装置に送信する送信ステップと、
前記登録手段への登録からの経過時間が閾値を超えた場合、および、前記予約された測定機器が通信端末から所定距離範囲外に移動したことを検出した場合、の少なくともいずれか一方の場合に、前記予約の解除として前記登録手段から前記第１識別情報を削除する予約解除ステップと、
をコンピュータに実行させる通信端末の制御プログラム。
【発明の詳細な説明】
【技術分野】
【０００１】
本発明は、患者から取得する患者情報を管理する技術に関する。
【背景技術】
【０００２】
上記技術分野において、特許文献１には、患者ＩＤを認証して、データベースから患者情報を読出して、クライアント端末のモニタ画面に表示し、患者の状態を検知するセンサ信号から解析された患者の動静情報をデータベースに記憶する技術が開示されている。また、引用文献２には、患者と検出装置とを結合させたＩＤ（識別記号）を付した生体信号をサーバに格納して、異なる病院や自宅からの生体信号を共有する技術が開示されています。また、引用文献３には、管理サーバがベッドサイドの表示端末の端末ＩＤを受信すると、対応するベッドＩＤを特定して、ベッドＩＤに対応付けられた患者属性情報および医療看護支援ピクトグラムを抽出して、表示端末に送信する技術が開示されている。さらに、引用文献４には、患者ＩＤの認証により端末装置に患者用ピクトグラムを表示させ、看護師ＩＤまたは医師ＩＤの認証により端末装置にバイタル入力画面を出力する技術が開示されている。
【先行技術文献】
【特許文献】
【０００３】
【特許文献１】特開２０１１−１７２６７４号公報
【特許文献２】特開２０１６−１５４６９６号公報
【特許文献３】特開２０１７−０９１３５６号公報
【特許文献４】特開２０１７−１１７４１８号公報
【発明の概要】
【発明が解決しようとする課題】
【０００４】
しかしながら、上記文献に記載の技術では、バイタル入力が患者本人のものであることの確認が充分に行われていない。すなわち、看護師または医師を含む医療従事者が入力処理を間違わないことが前提にされている技術である。
【０００５】
本発明の目的は、上述の課題を解決する技術を提供することにある。
【課題を解決するための手段】
【０００６】
上記目的を達成するため、本発明に係る通信端末は、
患者の状態に関する状態情報を測定するために予約された測定機器から、前記予約された測定機器の第１識別情報を取得する第１取得手段と、
前記第１識別情報を事前登録する登録手段と、
状態情報を測定した測定機器から、前記測定した測定機器の第２識別情報と前記状態情報とを取得する第２取得手段と、
前記第１識別情報と前記第２識別情報とを比較する比較手段と、
前記比較手段の比較の結果、前記第１識別情報と前記第２識別情報とが一致していることを条件として、前記第２取得手段が取得した前記状態情報を情報処理装置に送信する送信手段と、
前記登録手段への登録からの経過時間が閾値を超えた場合、および、前記予約された測定機器が通信端末から所定距離範囲外に移動したことを検出した場合、の少なくともいずれか一方の場合に、前記予約の解除として前記登録手段から前記第１識別情報を削除する予約解除手段と、
を備える。
【０００７】
上記目的を達成するため、本発明に係る通信端末の制御方法は、
患者の状態に関する状態情報を測定するために予約された測定機器から、前記予約された測定機器の第１識別情報を取得する第１取得ステップと、
前記第１識別情報を登録手段に事前登録する登録ステップと、
状態情報を測定した測定機器から、前記測定した測定機器の第２識別情報と前記状態情報とを取得する第２取得ステップと、
前記第１識別情報と前記第２識別情報とを比較する比較ステップと、
前記比較ステップにおける比較の結果、前記第１識別情報と前記第２識別情報とが一致していることを条件として、前記第２取得ステップにおいて取得した前記状態情報を情報処理装置に送信する送信ステップと、
前記登録手段への登録からの経過時間が閾値を超えた場合、および、前記予約された測定機器が通信端末から所定距離範囲外に移動したことを検出した場合、の少なくともいずれか一方の場合に、前記予約の解除として前記登録手段から前記第１識別情報を削除する予約解除ステップと、
を含む。
【０００８】
上記目的を達成するため、本発明に係る通信端末の制御プログラムは、
患者の状態に関する状態情報を測定するために予約された測定機器から、前記予約された測定機器の第１識別情報を取得する第１取得ステップと、
前記第１識別情報を登録手段に事前登録する登録ステップと、
状態情報を測定した測定機器から、前記測定した測定機器の第２識別情報と前記状態情報とを取得する第２取得ステップと、
前記第１識別情報と前記第２識別情報とを比較する比較ステップと、
前記比較ステップにおける比較の結果、前記第１識別情報と前記第２識別情報とが一致していることを条件として、前記第２取得ステップにおいて取得した前記状態情報を情報処理装置に送信する送信ステップと、
前記登録手段への登録からの経過時間が閾値を超えた場合、および、前記予約された測定機器が通信端末から所定距離範囲外に移動したことを検出した場合、の少なくともいずれか一方の場合に、前記予約の解除として前記登録手段から前記第１識別情報を削除する予約解除ステップと、
をコンピュータに実行させる。
【発明の効果】
【０００９】
本発明によれば、バイタル入力が患者本人のものであることを確認することできる。
【図面の簡単な説明】
【００１０】
【図１】本発明の第１実施形態に係る情報処理装置の構成を示すブロック図である。
【図２Ａ】本発明の第２実施形態に係る情報処理装置と接続する通信端末の動作概要を示す図である。
【図２Ｂ】本発明の第２実施形態に係る情報処理装置と接続する通信端末の表示画面を示す図である。
【図３】本発明の第２実施形態に係る情報処理装置および通信端末を含む患者情報管理システムの構成を示すブロック図である。
【図４Ａ】本発明の第２実施形態に係る情報処理装置および通信端末を含む患者情報管理システムの動作手順を示すシーケンス図である。
【図４Ｂ】本発明の第２実施形態に係る情報処理装置および通信端末を含む患者情報管理システムの動作手順を示すシーケンス図である。
【図５】本発明の第２実施形態に係る情報処理装置としての病院管理サーバの機能構成を示すブロック図である。
【図６】本発明の第２実施形態に係るデータベース内の測定機器登録部の構成を示す図である。
【図７】本発明の第２実施形態に係る通信端末の機能構成を示すブロック図である。
【図８】本発明の第２実施形態に係る測定予約テーブルの構成を示す図である。
【図９】本発明の第２実施形態に係る測定機器の機能構成を示すブロック図である。
【図１０】本発明の第２実施形態に係る情報処理装置としての病院管理サーバのハードウェア構成を示すブロック図である。
【図１１】本発明の第２実施形態に係る情報処理装置としての病院管理サーバの処理手順を示すフローチャートである。
【図１２】本発明の第２実施形態に係る通信端末のハードウェア構成を示すブロック図である。
【図１３】本発明の第２実施形態に係る通信端末の処理手順を示すフローチャートである。
【図１４】本発明の第３実施形態に係る情報処理装置および通信端末を含む患者情報管理システムの動作手順を示すシーケンス図である。
【図１５】本発明の第３実施形態に係る測定機器登録部の構成を示す図である。
【図１６】本発明の第３実施形態に係る通信端末の機能構成を示すブロック図である。
【図１７】本発明の第３実施形態に係る測定予約テーブルの構成を示す図である。
【図１８】本発明の第３実施形態に係る測定機器の機能構成を示すブロック図である。
【図１９】本発明の第３実施形態に係る通信端末の処理手順を示すフローチャートである。
【図２０】本発明の第４実施形態に係る情報処理装置および通信端末を含む患者情報管理システムの構成を示すブロック図である。
【図２１】本発明の第４実施形態に係る情報処理装置および通信端末を含む患者情報管理システムの動作手順を示すシーケンス図である。
【図２２】本発明の第４実施形態に係る通信端末の機能構成を示すブロック図である。
【図２３】本発明の第４実施形態に係る測定予約テーブルの構成を示す図である。
【図２４】本発明の第４実施形態に係る通信端末の処理手順を示すフローチャートである。
【図２５】本発明の第５実施形態に係る情報処理装置および通信端末を含む患者情報管理システムの構成を示すブロック図である。
【図２６】本発明の第５実施形態に係る情報処理装置および通信端末を含む患者情報管理システムの動作手順を示すシーケンス図である。
【図２７】本発明の第５実施形態に係る通信端末の機能構成を示すブロック図である。
【図２８】本発明の第５実施形態に係る通信端末の処理手順を示すフローチャートである。
【図２９Ａ】本発明の第６実施形態に係る情報処理装置および通信端末を含む患者情報管理システムの構成を示すブロック図である。
【図２９Ｂ】本発明の第６実施形態に係る情報処理装置および通信端末を含む患者情報管理システムの動作手順を示すシーケンス図である。
【図３０】本発明の第６実施形態に係るデータベース内の測定機器登録部の構成を示す図である。
【図３１】本発明の第６実施形態に係る通信端末の機能構成を示すブロック図である。
【図３２】本発明の第６実施形態に係る情報処理装置としての病院管理サーバの処理手順を示すフローチャートである。
【図３３】本発明の第７実施形態に係る情報処理装置および通信端末を含む患者情報管理システムの構成を示すブロック図である。
【図３４】本発明の第７実施形態に係る情報処理装置および通信端末を含む患者情報管理システムの動作手順を示すシーケンス図である。
【図３５】本発明の第７実施形態に係る情報処理装置としての病院管理サーバの機能構成を示すブロック図である。
【図３６】本発明の第７実施形態に係るデータベース内の患者登録部および医療従事者登録部の構成を示す図である。
【図３７】本発明の第７実施形態に係る情報処理装置としての病院管理サーバの処理手順を示すフローチャートである。
【発明を実施するための形態】
【００１１】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１２】
［第１実施形態］
本発明の第１実施形態としての情報処理装置１００について、図１を用いて説明する。情報処理装置１００は、患者から取得する患者情報を管理する装置である。
【００１３】
図１に示すように、情報処理装置１００は、登録部１０１と、第１判定部１０２と、記憶制御部１０３と、を含む。登録部１０１は、患者の状態に関する状態情報を測定する測定機器１１１と測定機器１１１が測定した状態情報を送信する送信元の通信端末１１２との組１２２を登録する。第１判定部１０２は、状態情報１２０を受信した場合、状態情報１２０を測定した測定機器と状態情報１２０を送信した送信元の通信端末との組１２１と、登録部１０１に登録された組１２２とが一致するか否かを判定する。組が一致する場合（１３１が真）、受信した状態情報１２０を記憶し、組が一致しない場合（１３１が否）、受信した状態情報１２０を記憶しないよう制御する。
【００１４】
本実施形態によれば、あらかじめ測定機器と送信元の通信端末との組が登録されているので、バイタル入力が患者本人のものであることを確認することできる。
【００１５】
［第２実施形態］
次に、本発明の第２実施形態に係る情報処理装置および通信端末を含む患者情報管理システムについて説明する。本実施形態に係る情報処理装置および通信端末を含む患者情報管理システムは、患者の状態情報を測定する前に、あらかじめ測定機器と状態情報の送信元（以下、取得元とも言う）となる通信端末との組を登録することで測定予約することで、測定時のバイタル入力が患者本人のものであることを確認する。
【００１６】
《通信端末の動作概要》
図２Ａは、本実施形態に係る情報処理装置と接続する通信端末２１０の動作概要を示す図である。通信端末２１０は、例えば、ベッドサイド端末であっても医療従事者（看護師や医師などを含む）の携帯端末であってもよい。
【００１７】
通信端末２１０の表示画面２１１は、医療従事者に対して“測定予約をして下さい”との測定予約を促す画面である。かかる画面は、例えば、患者の識別情報（患者ＩＤ）および医療従事者の識別情報（医療従事者ＩＤ）を認証すると表示される患者情報の入力画面で、「バイタル測定」ボタンにタッチすると表示される。ここで、測定予約をする測定機器を通信端末２１０から登録すると、測定機器の識別情報と通信端末２１０の識別情報との組によって、測定予約がされる。図２Ａでは、通信端末２１０の表示画面２１２に遷移し、“体温計予約済み”のメッセージが表示される。図２Ａの例では、体温計が測定予約されて体温の欄の“○”が表示されている。
【００１８】
通信端末２１０の表示画面２１３は、予約登録した測定機器である体温計で患者の体温が測定され、通信端末２１０に入力された場合の画面である。予約登録した測定機器と送信元の通信端末との組に一致すれば、“体温が測定されました”とのメッセージが表示され、体温の欄に測定された“36.7℃”が表示される。
【００１９】
次に、通信端末２１０の表示画面２１４は、予約登録してない体温計で患者の体温が測定された場合の画面である。予約登録した測定機器が一致しないので、“体温計が違います”とのメッセージが表示され、体温の欄に体温は表示されない。
【００２０】
また、通信端末２１０の表示画面２１５は、予約登録しないで体温計から体温が入力された場合の画面である。予約登録した測定機器と送信元の通信端末との組が登録されてないので、“測定予約されていません”とのメッセージが表示される。
【００２１】
なお、表示画面の内容やメッセージ内容は、図２Ａに限定されない。
【００２２】
（表示画面）
図２Ｂは、本実施形態に係る情報処理装置と接続する通信端末２１０の実際の表示画面を示す図である。
【００２３】
通信端末２１０の表示画面２１６は、患者識別情報（患者ＩＤ）および医療従事者の識別情報（医療従事者ＩＤ）を認証すると表示される患者情報の入力画面で、「バイタル測定」ボタン２６１がタッチされた状態である。表示画面２１７に遷移して、近距離通信で測定機器を登録する場合には、“バイタル機器をかざして下さい”とのメッセージが表示される。測定機器をかざして近距離通信が確立して測定機器の識別情報が取得されると、表示画面２１８に遷移して、本例では体温計の識別情報２８１が表示される。本例では、登録ボタンをタッチすると、体温計の識別情報と通信端末２１０の識別情報との組が測定予約として登録されるが、登録ボタンのタッチなしに自動的に登録されてもよい。
【００２４】
測定予約された測定機器で患者の状態情報を測定して、通信端末２１０に送信すると、表示画面２１９に遷移し、測定機器と通信端末との組が一致すると測定値が対応欄に表示される。測定機器と通信端末との組が一致しなければ、測定値は表示されない。そして、必要な測定値を登録する。なお、かかる測定値の登録も、登録指示なしに測定機器と通信端末との組が一致すれば自動的に登録してもよい。
【００２５】
なお、図２Ａおよび図２Ｂにおいては、表示画面のメッセージ表示で予約および測定がなされたが、音声などの他のメッセージであってもよい。
【００２６】
《患者情報管理システム》
図３は、本実施形態に係る情報処理装置３２０および通信端末２１０を含む患者情報管理システム３００の構成を示すブロック図である。
【００２７】
患者情報管理システム３００は、情報処理装置としての病院管理サーバ３２０と、通信端末２１０と、測定機器３３１〜３３３と、を含む。病院管理サーバ３２０は、患者情報を管理する患者情報管理サーバと、治療情報を管理する治療情報管理サーバと、患者カルテを管理するカルテ管理サーバと、を含む。なお、病院管理サーバ３２０は１つのクラウドサーバで実現してもよいし、個々のサーバの分散システムとして実現してもよい。また、サーバの役割や機能は図３に限定されるものではない。
【００２８】
通信端末２１０は、患者のベッド脇に添え付けられた棚に配置される。したがって、図３の例では、各ベッドに通信端末２１０は配備される。通信端末２１０は、近距離通信により測定機器３３１〜３３３と通信して、測定予約時の識別情報の交換や、測定時の識別情報および測定された患者の状態情報の交換を行う。近距離通信としては、Wi-Fiや赤外線通信やRFIDなどが含まれる。なお、通信端末２１０は、棚に配置されるばかりでなく、ベッド脇の壁に埋め込まれたり、ベッドに取り付けられたアーム上に配置されてもよい。
【００２９】
（動作シーケンス）
図４Ａおよび図４Ａは、本実施形態に係る情報処理装置３２０および通信端末２１０を含む患者情報管理システム３００の動作手順を示すシーケンス図である。
【００３０】
図４Ａは、測定機器による患者情報の測定までのシーケンスの概要を示す。ステップＳ４０１において、通信端末２１０が病院管理サーバ３２０のアプリケーションにログイン処理を行う。ログイン処理は、専門オペレータが操作するのが望ましいが、患者や医療従事者がＩＤとパスワードとを用いてログインできる構成であってもよい。
【００３１】
通信端末２１０は、ステップＳ４０３において、患者ＩＤを取得して病院管理サーバ３２０に送信する。患者ＩＤの取得は、入院患者識別バンドから読み取ればよい。なお、患者ＩＤの取得は、入院患者識別バンドのコード読み取りに限定されず、撮像部（カメラ）による顔認証、または、指紋、静脈、網膜などの生体認証、また、個室であれば音声認識などでもよい。病院管理サーバ３２０は、ステップＳ４０５において、受信した患者ＩＤがデータベース４４０の患者登録部４４１に登録されているかを確認する。患者ＩＤが既に登録されていれば、病院管理サーバ３２０は、ステップＳ４０７において、データベース４４０のカルテ登録部４４４から患者ＩＤに対応付けられた患者情報を読出して、患者情報ピクトグラムを患者ＩＤ送信元の通信端末２１０に送信する。通信端末２１０は、ステップＳ４０９において、受信した患者情報ピクトグラムを表示する。なお、表示するピクトグラムには患者情報以外の医療情報が含まれてよい。
【００３２】
次に、通信端末２１０は、ステップＳ４１１において、医療従事者ＩＤを取得して病院管理サーバ３２０に送信する。なお、医療従事者ＩＤの取得は、医療従事者が携帯する識別カードから読み取ればよい。病院管理サーバ３２０は、ステップＳ４１３において、受信した医療従事者ＩＤがデータベース４４０の医療従事者登録部４４２に登録されているかを確認する。医療従事者ＩＤが登録されていれば、病院管理サーバ３２０は、ステップＳ４１５において、患者情報入力画面を生成して医療従事者ＩＤ送信元の通信端末２１０に送信する。通信端末２１０は、ステップＳ４１７において、受信した患者情報入力画面を表示する。
【００３３】
なお、ステップＳ４０１〜Ｓ４１７の動作シーケンスやその間の表示画面などは、同じ出願人による特許文献４を参照されたい。
【００３４】
ステップＳ４２０において、本実施形態における測定予約として、測定機器と通信端末との組の登録を行う。そして、ステップＳ４３０において、予約した測定機器を使用して予約した通信端末から測定結果である患者の状態情報を取得した場合、取得した状態情報を患者ＩＤに対応付けて記録する。その状態情報は患者のカルテに追記されることになる。
【００３５】
図４Ｂは、測定機器の予約（Ｓ４２０）およびによる患者の状態情報の測定（Ｓ４３０）の詳細なシーケンスを示す。
【００３６】
測定機器の予約（Ｓ４２０）では、まず、ステップＳ４２１において、通信端末２１０に測定機器を登録して測定予約をするよう要請する画面が表示される。医療従事者は、予約する測定機器３３０と通信端末２１０間の近距離通信を確立させる。すると、測定機器３３０は、ステップＳ４２３において、測定機器を識別する測定機器ＩＤ（機器識別情報）を通信端末２１０に送信する。通信端末２１０は、ステップＳ４２５において、受信した測定機器ＩＤと自分の端末ＩＤ（端末識別情報）との組を病院管理サーバ３２０に送信して、測定予約とする。病院管理サーバ３２０は、ステップＳ４２７において、受信した測定機器ＩＤと端末ＩＤとの組をデータベース４４０の測定機器登録部４４３に登録することで、測定予約を受け付ける。この時に、病院管理サーバ３２０は、ステップＳ４２９において、測定予約の登録時点からタイマを起動し、タイムアウトになったら（経過時間が閾値を超えると）、登録削除して予約解除を行ってもよい。
【００３７】
患者の状態情報の測定（Ｓ４３０）では、まず、測定機器３３０が、ステップＳ４３１において、測定処理を行う。そして、測定機器３３０は、ステップＳ４３３において、通信端末２１０との通信を確立して、測定値を測定機器ＩＤと共に通信端末２１０に送信する。ここで、通信端末２１０は、ステップＳ４３５において、オプションとして、測定機器ＩＤの確認をしてもよい。通信端末２１０は、ステップＳ４３７において、測定機器３３０から受信した測定値を、測定機器ＩＤと端末ＩＤとの組と共に、病院管理サーバ３２０に送信する。なお、ステップＳ４３５において通信端末２１０が測定機器ＩＤの確認をする場合、ステップＳ４３７では、測定予約した測定機器の測定値は病院管理サーバ３２０に送信するが、測定予約されてない測定機器の測定値は病院管理サーバ３２０に送信しない構成であってもよい。
【００３８】
病院管理サーバ３２０は、ステップＳ４３９において、測定値と共に受信した測定機器ＩＤと端末ＩＤとの組が、測定機器登録部４４３に測定予約として登録された測定機器ＩＤと端末ＩＤとの組と一致するか否かを確認する。一致する測定機器ＩＤと端末ＩＤとの組が登録されていれば、測定値を患者ＩＤに対応付けてカルテ登録部４４４に登録し、測定機器の測定機器登録部４４３からの削除をして予約を解除する。そして、病院管理サーバ３２０は、ステップＳ４４３において、測定値の登録結果を通信端末２１０に報告する。通信端末２１０は、ステップＳ４４５において、受信した登録結果を表示する。
【００３９】
《病院管理サーバの機能構成》
図５は、本実施形態に係る情報処理装置３２０としての病院管理サーバの機能構成を示すブロック図である。
【００４０】
情報処理装置３２０としての病院管理サーバは、通信制御部５０１と、ログイン／ログアウト処理部５０２と、アプリケーション提供部５０３と、アプリケーションデータベース５０４とを備える。また、情報処理装置３２０としての病院管理サーバは、患者ＩＤ確認部５０５と、患者情報提供部５０６と、医療従事者ＩＤ確認部５０７と、患者情報入力画面提供部５０８と、を備える。また、情報処理装置３２０としての病院管理サーバは、測定機器ＩＤ／端末ＩＤ取得部５０９と、測定機器ＩＤ／端末ＩＤ登録部５１０と、を備える。さらに、情報処理装置３２０としての病院管理サーバは、測定値（測定機器ＩＤ／端末ＩＤ）取得部５１１と、測定値確認部５１２と、測定値記録部５１３と、測定値記録結果送信部５１４と、を備える。なお、データベース４４０は、病院管理サーバ内にあっても、病院管理サーバ外部にあってもよい。
【００４１】
通信制御部５０１は、通信端末２１０との通信を制御する。ログイン／ログアウト処理部５０２は、通信制御部５０１を介して、病院管理サーバが提供するアプリケーションへの通信端末２１０のログインおよびログアウトを処理する。アプリケーション提供部５０３は、ログインされた通信端末２１０にアプリケーションのサービスを提供すると共に、通信端末２１０が実行するアプリケーションプログラムを提供する。アプリケーションデータベース５０４は、病院管理サーバが提供可能なアプリケーションを格納する。
【００４２】
患者ＩＤ確認部５０５は、通信端末２１０から送信された患者ＩＤと、データベース４４０の患者登録部４４１に登録された患者、本例では入院患者の患者ＩＤとを照合して、患者であることを確認する。患者情報提供部５０６は、患者ＩＤ確認部５０５が患者であることを確認した場合に、カルテ登録部４４４から患者ＩＤによって検索した患者情報を患者ＩＤの送信元の通信端末に提供する。医療従事者ＩＤ確認部５０７は、通信端末２１０から送信された医療従事者ＩＤと、データベース４４０の医療従事者登録部４４２に登録された医療従事者、例えば看護師や医者などの医療従事者ＩＤとを照合して、医療従事者であることを確認する。患者情報入力画面提供部５０８は、医療従事者ＩＤ確認部５０７が医療従事者であることを確認した場合に、患者情報入力画面を生成して医療従事者ＩＤの送信元の通信端末に提供する。
【００４３】
測定機器ＩＤ／端末ＩＤ取得部５０９は、通信端末からの測定予約として、測定機器ＩＤと端末ＩＤとの組を取得する。そして、測定機器ＩＤ／端末ＩＤ登録部５１０は、取得した測定機器ＩＤと端末ＩＤとの組を、測定予約として測定機器登録部４４３に登録する。測定値（測定機器ＩＤ／端末ＩＤ）取得部５１１は、通信端末から測定結果の測定値を、測定した測定端末ＩＤと送信した端末ＩＤとの組と共に取得する。測定値確認部５１２は、通信端末から取得した測定機器ＩＤと端末ＩＤとの組と、測定機器登録部４４３に予約登録された測定機器ＩＤと端末ＩＤとの組とを照合して、一致すれば対象とする患者から正しい測定で得た測定値と確認する。測定値記録部５１３は、測定値確認部５１２が対象とする患者から正しい測定で得た測定値と確認すれば、通信端末から受信した測定値を患者ＩＤに対応付けてカルテ登録部４４４に登録する。測定値記録結果送信部５１４は、測定値確認部５１２の確認結果および測定値記録部５１３の記録結果を通信端末に送信する。測定値記録結果送信部５１４は、例えば、測定予約がなければ“測定予約されていません”、測定機器ＩＤが違えば“体温計が違います”、一方、測定値記録部５１３による測定値の記録が完了すれば“体温が測定されました”などのメッセージを通信端末に返す。
【００４４】
（測定機器登録部）
図６は、本実施形態に係るデータベース４４０内の測定機器登録部４４３の構成を示す図である。測定機器登録部４４３は、病院の測定機器や通信端末を管理すると共に、測定予約に従った測定が実行されたかを監視するために使用される。
【００４５】
測定機器登録部４４３は、測定機器を管理する測定機器情報テーブル６１０と、通信端末を管理する通信端末情報テーブル６２０と、測定予約を管理する測定予約管理テーブル６３０と、を有する。
【００４６】
測定機器情報テーブル６１０には、測定機器ＩＤと測定機器の機種などが登録されて、予約された測定機器あるいは患者の状態情報を測定した測定機器が正当か否かが確認される。通信端末情報テーブル６２０には、通信端末ＩＤと通信端末の機種などが登録されて、接続された通信端末、予約情報を送信した通信端末あるいは患者の状態情報を送信した通信端末が正当か否かが確認される。
【００４７】
測定予約管理テーブル６３０は、測定予約時に、通信端末から送信された測定機器ＩＤ６３１と端末ＩＤ６３２との組を記憶し、各組に対応付けて予約情報６３３を記憶する。予約情報６３３には、測定対象（体温、血圧、血糖値など）と、測定予約時の予約日時と、被測定者である患者ＩＤと、測定者である医療従事者ＩＤと、が含まれる。なお、ここでは、患者ＩＤと医療従事者ＩＤとは、測定値の認証ではなく測定値の記録に使用される。
【００４８】
《通信端末の機能構成》
図７は、本実施形態に係る通信端末２１０の機能構成を示すブロック図である。
【００４９】
通信端末２１０は、通信制御部７０１と、入出力インタフェース７０２と、無線通信インタフェース７０３と、アプリケーション７０４と、を備える。入出力インタフェース７０２には、表示部７２１と、操作部７２２と、ＵＳＢコネクタを含む機器接続コネクタ７２３などが接続される。また、無線通信インタフェース７０３には、Wi-Fi制御部７３１と、ビーコン制御部７３２と、赤外線制御部７３３などの近距離無線通信が含まれる。
【００５０】
アプリケーション７０４は、汎用の通信端末２１０を本実施形態のベッドサイド端末や医療従事者用の携帯端末として使用するためのアプリケーションプログラムであって、少なくとも以下の機能を備えている。アプリケーション７０４は、ログイン／ログアウト処理部７４１と、アプリケーション起動部７４２と、を備える。また、アプリケーション７０４は、患者ＩＤ取得部７４３と、患者ＩＤ送信部７４４と、医療従事者ＩＤ取得部７４５と、医療従事者ＩＤ送信部７４６と、表示画面受信部７４７と、表示画面表示指示部７４８と、を備える。また、アプリケーション７０４は、測定機器ＩＤ取得部７５１と、測定機器ＩＤ／端末ＩＤ登録部７５２と、測定値取得部７５４と、測定値確認送信部７５５と、測定値記録結果受信部７５６と、測定値記録結果表示部７５７と、を備える。
【００５１】
ログイン／ログアウト処理部７４１は、病院管理サーバのアプリケーションへのログインおよびログアウトを処理する。アプリケーション起動部７４２は、病院管理サーバからダウンロードしたアプリケーション７０４を操作部７２２からの指示に従って起動する。
【００５２】
患者ＩＤ取得部７４３は、機器接続コネクタ７２３に接続されたバーコードリーダや、無線通信インタフェース７０３を介して、患者が付けた入院患者識別バンドから患者ＩＤを取得する。患者ＩＤ送信部７４４は、取得した患者ＩＤを患者確認のため病院管理サーバに送信する。医療従事者ＩＤ取得部７４５は、機器接続コネクタ７２３に接続されたバーコードリーダや、無線通信インタフェース７０３を介して、医療従事者が携帯する認証カードから医療従事者ＩＤを取得する。医療従事者ＩＤ送信部７４６は、取得した医療従事者ＩＤを医療従事者確認のため病院管理サーバに送信する。
【００５３】
表示画面受信部７４７は、病院管理サーバから送信された表示画面を受信する。そして、表示画面表示指示部７４８は、受信した表示画面を表示部７２１に表示させる。なお、ログイン時にはログイン画面が、患者ＩＤが確認された時は患者情報ピクトグラムの画面が、さらに医療従事者ＩＤが確認された時は患者情報入力画面が表示される。さらに、測定予約や測定実行の時は、図２Ａおよび図２Ｂのような表示画面が表示される。
【００５４】
測定機器ＩＤ取得部７５１は、機器接続コネクタ７２３に接続された測定機器や、無線通信インタフェース７０３を介して測定機器から、測定機器ＩＤを取得する。測定機器ＩＤ／端末ＩＤ登録部７５２は、取得した測定機器ＩＤと自機の端末ＩＤとの組を測定予約として病院管理サーバに登録させる。なお、測定機器ＩＤ／端末ＩＤ登録部７５２は、測定予約テーブル７５３を有し、通信端末２１０内において測定予約の登録と測定値の確認を行ってもよい。測定値取得部７５４は、機器接続コネクタ７２３に接続された測定機器や、無線通信インタフェース７０３を介して測定機器から、測定機器ＩＤと共に測定値を取得する。測定値確認送信部７５５は、測定した測定機器ＩＤと自機の端末ＩＤとの組を測定値確認として病院管理サーバに送信する。測定値記録結果受信部７５６は、病院管理サーバからの測定値の記録結果を受信する。そして、測定値記録結果表示部７５７は、受信した測定値の記録結果を表示部７２１に表示する。
【００５５】
なお、測定予約テーブル７５３を使用して、測定値取得部７５４や測定値確認送信部７５５において、測定値を送信した測定機器の測定機器ＩＤを確認して、予約機器と一致しなければ不正測定として測定値を通信端末２１０から病院管理サーバに送信しない処理を加えてもよい。これにより、病院管理サーバの処理の一部を通信端末２１０に分散できる。
【００５６】
（測定予約テーブル）
図８は、本実施形態に係る測定予約テーブル７５３の構成を示す図である。測定予約テーブル７５３は、通信端末２１０自身でも測定予約を管理するために使用する。
【００５７】
測定予約テーブル７５３は、図６のデータベース４４０内の測定予約管理テーブル６３０と同様の構成を有し、測定予約時に、取得した測定機器ＩＤ８０１と自機の端末ＩＤ８０２との組を記憶し、各組に対応付けて予約情報８０３を記憶する。
【００５８】
《測定機器の機能構成》
図９は、本実施形態に係る測定機器３３０の機能構成を示すブロック図である。
【００５９】
測定機器３３０は、無線または有線の通信インタフェース９０１と、入出力インタフェース９０２と、測定機器ＩＤ送信部９０３と、測定動作制御部９０４と、測定結果送信部９０５と、を備える。
【００６０】
通信インタフェース９０１は、通信端末との有線あるいは無線の通信接続を行う。入出力インタフェース９０２は、表示部９２１と、操作部９２２と、測定部９２３などが接続される。測定部９２３は、本測定機器３３０の種類によりそれぞれの対象を測定する。
【００６１】
測定機器ＩＤ送信部９０３は、測定機器ＩＤ記憶部９３１を有し、測定機器３３０に固有の測定機器ＩＤを、測定予約時および測定時に通信端末に送信する。測定機器ＩＤ記憶部９３１は不揮発性メモリやヒューズなどによる書換不能な記憶が望ましく、例えば、製造時に書き込まれた製造番号などでかまわない。測定動作制御部９０４は、操作部９２２からの操作入力、あるいは、通信端末からの測定動作制御により、測定部９２３を操作して患者の状態情報を測定する。測定結果送信部９０５は、測定部９２３の測定結果を測定機器ＩＤと共に通信端末に送信する。
【００６２】
《病院管理サーバのハードウェア構成》
図１０は、本実施形態に係る情報処理装置３２０としての病院管理サーバのハードウェア構成を示すブロック図である。
【００６３】
図１０で、ＣＰＵ１０１０は演算制御用のプロセッサであり、プログラムを実行することで図５の機能構成部を実現する。ＣＰＵ(Central Computing Unit)１０１０は１つであっても複数であってもよい。ＲＯＭ(Read Only Memory)１０２０は、初期データおよびプログラムなどの固定データおよびプログラムを記憶する。ネットワークインタフェース１０３０は、ネットワークを介して、通信端末２１０との通信を制御する。
【００６４】
ＲＡＭ(Random Access Memory)１０４０は、ＣＰＵ１０１０が一時記憶のワークエリアとして使用するランダムアクセスメモリである。ＲＡＭ１０４０には、本実施形態の実現に必要なデータを記憶する領域が確保されている。受信した患者ＩＤ１０４１は、通信端末から受信した患者ＩＤのデータである。提供する患者情報１０４２は、患者ＩＤがデータベース４４０に登録された患者ＩＤと一致すれば通信端末に提供する、患者ＩＤに対してデータベース４４０から読出された患者情報のピクトグラム画面のデータである。受信した医療従事者ＩＤ１０４３は、通信端末から受信した医療従事者ＩＤのデータである。患者情報入力画面１０４４は、医療従事者ＩＤがデータベース４４０に登録された医療従事者ＩＤと一致すれば通信端末に提供する、患者情報の入力画面のデータである。測定予約情報１０４５は、測定予約する通信端末から送信された、測定機器ＩＤと端末ＩＤとの組のデータである。測定結果情報１０４６は、通信端末から送信された、測定値と、それを測定した測定機器の測定機器ＩＤと、それの送信元の通信端末端末ＩＤと、の組のデータである。測定記録結果通知１０４７は、測定値がデータベース４４０に正しく記録されたか否かを通信端末に通知するメッセージのデータである。
【００６５】
ストレージ１０５０は、ＣＰＵ１０１０が使用する、データベースや各種のパラメータ、あるいは本実施形態の実現に必要な以下のデータまたはプログラムが記憶されている。データベース４４０は、図６に示した、各種データを格納する。
【００６６】
ストレージ１０５０には、以下のプログラムが格納される。病院管理サーバ制御プログラム１０５１は、本病院管理サーバ３２０全体を制御するプログラムである。患者情報登録モジュール１０５２は、患者ＩＤに対応付けてデータベース４４０に患者情報を登録するモジュールである。医療従事者登録モジュール１０５３は、医療従事者ＩＤに対応付けてデータベース４４０に医療従事者情報を登録するモジュールである。測定機器登録モジュール１０５４は、測定機器ＩＤに対応付けてデータベース４４０に測定機器情報を登録するモジュールである。患者情報出力モジュール１０５５は、患者ＩＤに対応する患者情報のピクトグラム画面などを生成して通信端末に表示させるモジュールである。測定予約モジュール１０５６は、通信端末から測定予約として送信された測定機器ＩＤと端末ＩＤとの組を、データベース４４０に登録して、測定予約をするモジュールである。測定情報記録モジュール１０５７は、通信端末から測定結果として送信された測定値に付加された測定機器ＩＤと端末ＩＤとの組を、測定予約としてデータベース４４０に登録した測定機器ＩＤと端末ＩＤとの組と照合して、一致すれば正しい患者かたの正しい測定結果としてデータベース４４０に患者ＩＤに対応付けて記録するモジュールである。
【００６７】
なお、図１０のＲＡＭ１０４０やストレージ１０５０には、情報処理装置３２０としての病院管理サーバが有する汎用の機能や他の実現可能な機能に関連するプログラムやデータは図示されていない。
【００６８】
《病院管理サーバの処理手順》
図１１は、本実施形態に係る情報処理装置３２０としての病院管理サーバの処理手順を示すフローチャートである。このフローチャートは、図１０のＣＰＵ１０１０がＲＡＭ１０４０を使用して実行し、図４の機能構成部を実現する。
【００６９】
情報処理装置３２０は、ステップＳ１１１１において、通信端末からの患者ＩＤの受信か否かを判定する。患者ＩＤの受信であれば、情報処理装置３２０は、ステップＳ１１１３において、あらかじめ登録された患者ＩＤと照合する。情報処理装置３２０は、ステップＳ１１１５において、患者ＩＤが合致するか否かを判定する。患者ＩＤが合致しなければ、エラー処理を行う。患者ＩＤが合致すれば、情報処理装置３２０は、ステップＳ１１１７において、患者ＩＤに対応する患者情報をデータベース４４０から取得する。そして、情報処理装置３２０は、ステップＳ１１１９において、取得した患者情報のピクトグラムを生成して、患者ＩＤの送信元の通信端末に送信する。
【００７０】
患者ＩＤの受信でなければ、情報処理装置３２０は、ステップＳ１１２１において、通信端末からの医療従事者ＩＤの受信か否かを判定する。医療従事者ＩＤの受信であれば、情報処理装置３２０は、ステップＳ１１２３において、あらかじめ登録された医療従事者ＩＤと照合する。情報処理装置３２０は、ステップＳ１１２５において、医療従事者ＩＤが合致するか否かを判定する。医療従事者ＩＤが合致しなければ、エラー処理を行う。医療従事者ＩＤが合致すれば、情報処理装置３２０は、ステップＳ１１２７において、患者情報の入力画面を生成して、医療従事者ＩＤの送信元の通信端末に送信する。
【００７１】
患者ＩＤの受信でなく医療従事者ＩＤの受信でなければ、情報処理装置３２０は、ステップＳ１１３１において、通信端末からの測定予約か否かを判定する。通信端末からの測定予約であれば、情報処理装置３２０は、ステップＳ１１３３において、送信予約として送信された測定機器ＩＤと端末ＩＤとの組を受信する。情報処理装置３２０は、ステップＳ１１３５において、測定機器ＩＤと端末ＩＤとを確認する。測定機器ＩＤや端末ＩＤが登録されてなければ、エラー処理を行う。測定機器ＩＤおよび端末ＩＤが登録されていれば、情報処理装置３２０は、ステップＳ１１３７において、受信した測定機器ＩＤと端末ＩＤとの組を測定予約としてデータベース４４０に登録する。
【００７２】
患者ＩＤの受信でなく医療従事者ＩＤの受信でなく測定予約でもなければ、情報処理装置３２０は、ステップＳ１１４１において、通信端末からの測定結果の測定値の受信か否かを判定する。測定値の受信であれば、情報処理装置３２０は、ステップＳ１１４３において、測定値と共に、測定した測定機器ＩＤと送信元の端末ＩＤとの組を取得する。情報処理装置３２０は、ステップＳ１１４５において、取得した測定機器ＩＤと送信元の端末ＩＤとの組を、予約時にデータベース４４０に登録された測定機器ＩＤと端末ＩＤとの組と照合する。情報処理装置３２０は、ステップＳ１１４７において、測定機器ＩＤと端末ＩＤとの組が合致するか否かを判定する。測定機器ＩＤと端末ＩＤとの組が合致しなければ、エラー処理を行う。測定機器ＩＤと端末ＩＤとの組が合致すれば、情報処理装置３２０は、ステップＳ１１４９において、測定値を正しい患者から正しく測定されたとして、患者ＩＤに対応付けてデータベース４４０に記録する。
【００７３】
《通信端末のハードウェア構成》
図１２は、本実施形態に係る通信端末２１０のハードウェア構成を示すブロック図である。なお、図１２において、図７と同様の構成要素には同じ参照番号を付して、重複する説明を省略する。
【００７４】
図１２で、ＣＰＵ１２１０は演算制御用のプロセッサであり、プログラムを実行することで図５の機能構成部を実現する。ＣＰＵ１２１０は１つであっても複数であってもよい。ＲＯＭ１２２０は、初期データおよびプログラムなどの固定データおよびプログラムを記憶する。ネットワークインタフェース１２３０は、ネットワークを介して、情報処理装置３２０としての病院管理サーバとの通信を制御する。
【００７５】
ＲＡＭ１２４０は、ＣＰＵ１２１０が一時記憶のワークエリアとして使用するランダムアクセスメモリである。ＲＡＭ１２４０には、本実施形態の実現に必要なデータを記憶する領域が確保されている。患者ＩＤ１２４１は、通信端末が取得した患者ＩＤのデータである。患者情報ピクトグラム１２４２は、表示部７２１に表示される患者ＩＤ１２４１の患者のピクトグラムのデータである。医療従事者ＩＤ１２４３は、通信端末が取得した医療従事者ＩＤのデータである。患者情報入力画面１２４４は、患者情報の入力画面のデータである。測定予約情報１２４５は、測定予約するために病院管理サーバに送信される、測定機器ＩＤと端末ＩＤとの組のデータである。測定結果情報１２４６は、病院管理サーバに送信される、測定値と、それを測定した測定機器の測定機器ＩＤと、それの送信元の通信端末端末ＩＤと、の組のデータである。測定記録結果通知１２４７は、測定値が病院管理サーバで正しく記録されたか否かを通知するメッセージのデータである。
【００７６】
ストレージ１２５０は、ＣＰＵ１２１０が使用する、データベースや各種のパラメータ、あるいは本実施形態の実現に必要な以下のデータまたはプログラムが記憶されている。端末ＩＤ１２５１は、本通信端末を識別する固有の識別情報である。測定予約テーブル７５３は、図８に示した測定予約のデータである。
【００７７】
ストレージ１２５０には、以下のプログラムが格納される。通信端末制御プログラム１０２５２は、本通信端末２１０全体を制御するプログラムである。アプリケーション７０４は、通信端末２１０を本実施形態のベッドサイド端末や医療従事者用の携帯端末として使用するためのアプリケーションプログラムであり、以下のモジュールを含む。患者情報取得モジュール１２５３は、患者ＩＤに対応付けて患者情報ピクトグラムを病院管理サーバから取得するモジュールである。入力画面取得モジュール１２５４は、医療従事者ＩＤにより病院管理サーバから患者情報の入力画面を取得して表示するモジュールである。測定予約（測定機器登録）モジュール１２５５は、測定機器ＩＤと端末ＩＤとの組を病院管理サーバに送信して、測定予約をするモジュールである。測定処理モジュール１２５６は、通信接続された測定機器により患者の状態情報を測定するモジュールである。測定値記録モジュール１２５７は、測定した患者の状態情報を測定機器ＩＤと端末ＩＤとの組と共に病院管理サーバに送信して、測定値を記録するためのモジュールである。
【００７８】
なお、図１２のＲＡＭ１２４０やストレージ１２５０には、通信端末２１０が有する汎用の機能や他の実現可能な機能に関連するプログラムやデータは図示されていない。
【００７９】
《通信端末の処理手順》
図１３は、本実施形態に係る通信端末２１０の処理手順を示すフローチャートである。このフローチャートは、図１２のＣＰＵ１２１０がＲＡＭ１２４０を使用して実行し、図７の機能構成部を実現する。
【００８０】
通信端末２１０は、ステップＳ１３１１において、患者ＩＤの取得か否かを判定する。患者ＩＤの取得であれば、通信端末２１０は、ステップＳ１３１３において、取得した患者ＩＤを病院管理サーバに送信する。通信端末２１０は、ステップＳ１３１５において、患者ＩＤに対応する患者情報を病院管理サーバから受信したか否かを判定する。患者情報を受信できなければ、エラー処理を行う。患者情報を受信すれば、通信端末２１０は、ステップＳ１３１７において、患者ＩＤに対応する患者情報のピクトグラムを表示部７２１に表示する。
【００８１】
患者ＩＤの取得でなければ、通信端末２１０は、ステップＳ１３２１において、医療従事者ＩＤの取得か否かを判定する。医療従事者ＩＤの取得であれば、通信端末２１０は、ステップＳ１３２３において、医療従事者ＩＤを病院管理サーバに送信する。通信端末２１０は、ステップＳ１３２５において、病院管理サーバから患者情報の入力画面を受信したか否かを判定する。患者情報入力画面を受信できなければ、エラー処理を行う。患者情報入力画面を受信できれば、通信端末２１０は、ステップＳ１３２７において、測定予約ボタンを含む患者情報入力画面を表示部７２１に表示する。
【００８２】
患者ＩＤの取得でなく医療従事者ＩＤの取得でもなければ、通信端末２１０は、ステップＳ１３３１において、測定予約か否かを判定する。測定予約であれば、通信端末２１０は、ステップＳ１３３３において、測定予約する測定機器から測定機器ＩＤを取得する。そして、通信端末２１０は、ステップＳ１３３５において、測定予約として、取得した測定機器ＩＤと自機の端末ＩＤとの組を病院管理サーバに送信する。通信端末２１０は、ステップＳ１３３７において、病院管理サーバからの測定機器登録ＯＫ（測定予約ＯＫ）を受信したか否かを判定する。測定機器登録ＯＫ（測定予約ＯＫ）を受信できなければ、エラー処理を行う。測定機器登録ＯＫ（測定予約ＯＫ）を受信できれば、通信端末２１０は、ステップＳ１３３９において、患者情報の測定が可能になったことを通知する。
【００８３】
患者ＩＤの取得でなく医療従事者ＩＤの取得でなく測定予約でもなければ、通信端末２１０は、ステップＳ１３４１において、測定処理か否かを判定する。測定処理であれば、通信端末２１０は、ステップＳ１３４３において、測定機器から測定値を取得する。通信端末２１０は、ステップＳ１３４５において、取得した測定値と共に、測定機器ＩＤと送信元の端末ＩＤとの組を病院管理サーバに送信する。通信端末２１０は、ステップＳ１３４７において、病院管理サーバから測定値記録ＯＫを受信したか否かを判定する。測定値記録ＯＫを受信できなければ、エラー処理を行う。測定値記録ＯＫを受信できれば、通信端末２１０は、ステップＳ１３４９において、測定値が記録されたことを通知する。
【００８４】
なお、本実施形態においては、測定機器と送信元の通信端末との組の照合を情報処理装置としての病院管理サーバで行ったが、各通信端末に登録した組をダウンロードして通信端末で行ってもよい。
【００８５】
本実施形態によれば、患者や医療従事者が認証された上に、あらかじめ測定機器と送信元の通信端末との組が登録されているので、バイタル入力が患者本人のものであることをより確実に確認することできる。
【００８６】
［第３実施形態］
次に、本発明の第３実施形態に係る情報処理装置および通信端末を含む患者情報管理システムについて説明する。本実施形態に係る情報処理装置および通信端末を含む患者情報管理システムは、上記第２実施形態と比べると、通信端末から測定機器に情報を登録することで測定予約をする点で異なる。その他の構成および動作は、第２実施形態と同様であるため、同じ構成および動作については同じ符号を付してその詳しい説明を省略する。
【００８７】
《患者情報管理システムの動作手順》
図１４は、本実施形態に係る情報処理装置３２０および通信端末１４１０を含む患者情報管理システムの動作手順を示すシーケンス図である。なお、図１４において、図４Ｂと同様のステップには同じステップ番号を付して、重複する説明を省略する。
【００８８】
測定機器の予約（Ｓ１４２０）では、通信端末１４１０は、測定機器１４３０からの測定機器ＩＤを受信すると、ステップＳ１４２４において、患者ＩＤを測定機器１４３０に送信する。なお、送信する情報は患者ＩＤに限定されず、測定の正しさをより確認できる情報であればよい。測定機器１４３０は、ステップＳ１４２６において、通信端末１４１０から受信した患者ＩＤを記憶する。一方、通信端末１４１０は、ステップＳ１４２５において、測定予約として、測定機器ＩＤと端末ＩＤと患者ＩＤとの組を病院管理サーバ３２０に送信する。病院管理サーバ３２０は、ステップＳ１４２７において、データベース１４４０の測定機器登録部１４４３に、測定予約として、測定機器ＩＤと端末ＩＤと患者ＩＤとの組を登録する。
【００８９】
患者の状態情報の測定（Ｓ１４３０）では測定時に、測定機器１４３０が、ステップＳ１４３３において、測定値と共に、測定機器ＩＤと記憶した患者ＩＤとを通信端末１４１０に送信する。通信端末１４１０は、ステップＳ１４３７において、測定値と共に、測定機器ＩＤと端末ＩＤと患者ＩＤとの組を病院管理サーバ３２０に送信する。病院管理サーバ３２０は、ステップＳ１４３９において、測定機器ＩＤと端末ＩＤと患者ＩＤとの組を照合することで、測定値が正しい患者の正しい測定であるか否かを確認する。
【００９０】
（測定機器登録部）
図１５は、本実施形態に係る測定機器登録部１４４３の構成を示す図である。なお、図１５において、図６と同様の構成要素には同じ参照番号を付して、重複する説明を省略する。
【００９１】
測定予約管理テーブル１５３０は、測定予約時に、通信端末から送信された測定機器ＩＤ６３１と端末ＩＤ６３２と患者ＩＤ１５３４との組を記憶し、各組に対応付けて予約情報６３３を記憶する。
【００９２】
《通信端末の機能構成》
図１６は、本実施形態に係る通信端末１４１０の機能構成を示すブロック図である。なお、図１６において、図８と同様の機能構成部には同じ参照番号を付して、重複する説明を省略する。
【００９３】
アプリケーション１６０４は、患者ＩＤ記憶指示部１６５０と、測定機器ＩＤ／端末ＩＤ／患者ＩＤ登録部１６５２と、測定値（患者ＩＤ）取得部１６５４と、を含む。患者ＩＤ記憶指示部１６５０は、通信接続された測定機器に患者ＩＤを送信して記憶を指示すると共に、患者ＩＤを測定予約に付加させる。測定機器ＩＤ／端末ＩＤ／患者ＩＤ登録部１６５２は、測定予約テーブル１６５３を有し、測定機器ＩＤと端末ＩＤと患者ＩＤとの組を測定予約として病院管理サーバに送信する。測定値（患者ＩＤ）取得部１６５４は、測定機器からの測定値の取得時に、測定機器ＩＤと共に記憶した患者ＩＤを取得する。
【００９４】
（測定予約テーブル）
図１７は、本実施形態に係る測定予約テーブル１６５３の構成を示す図である。なお、図１７において、図８と同様の構成要素には同じ参照番号を付して、重複する説明を省略する。
【００９５】
測定予約テーブル１６５３は、図１５の測定予約管理テーブル１４３０と同様の構成を有し、測定予約時に、取得した測定機器ＩＤ８０１と自機の端末ＩＤ８０２と患者ＩＤ１７０４との組を記憶し、各組に対応付けて予約情報８０３を記憶する。
【００９６】
《測定機器の機能構成》
図１８は、本実施形態に係る測定機器１４３０の機能構成を示すブロック図である。なお、図１８において、図９と同様の機能構成部には同じ参照番号を付して、重複する説明を省略する。
【００９７】
測定機器１４３０は、患者ＩＤ記憶部１８０６を備える。患者ＩＤ記憶部１８０６は、測定予約時に通信端末１４１０から送信された患者ＩＤを記憶し、測定時には、測定値と共に記憶した患者ＩＤを通信端末１４１０に送信する。
【００９８】
《通信端末の処理手順》
図１９は、本実施形態に係る通信端末１４１０の処理手順を示すフローチャートである。このフローチャートは、図１２のＣＰＵ１２１０がＲＡＭ１２４０を使用して実行し、図１８の機能構成部を実現する。なお、図１９において、図１３と同様のステップには同じステップ番号を付して、重複する説明を省略する。
【００９９】
通信端末１４１０は、測定予約の場合に、ステップＳ１９３４において、測定機器に対して患者ＩＤを送信して記憶を指示する。そして、通信端末１４１０は、ステップＳ１９３５において、測定予約として、測定機器ＩＤと端末ＩＤと患者ＩＤとの組を病院管理サーバに送信する。
【０１００】
通信端末１４１０は、測定処理の場合に、ステップＳ１９４４において、測定機器から記憶した患者ＩＤを取得する。そして、通信端末１４１０は、ステップＳ１９４５において、測定値と共に、測定機器ＩＤと端末ＩＤと患者ＩＤとの組を病院管理サーバに送信する。
【０１０１】
なお、本実施形態においては、測定機器と送信元の通信端末と患者との組の照合を情報処理装置としての病院管理サーバで行ったが、各通信端末に登録した組をダウンロードして通信端末で行ってもよい。
【０１０２】
本実施形態によれば、さらに通信端末から測定機器に情報を登録することで測定予約をするので、バイタル入力が患者本人のものであることをより確実に確認することできる。
【０１０３】
［第４実施形態］
次に、本発明の第４実施形態に係る情報処理装置および通信端末を含む患者情報管理システムについて説明する。本実施形態に係る情報処理装置および通信端末を含む患者情報管理システムは、上記第２実施形態および第３実施形態と比べると、通信端末から測定機器までの距離を制限することで患者間違いを防止する点で異なる。すなわち、測定機器が、送信元の通信端末から所定距離範囲内において、測定した状態情報を送信元の通信端末に送信可能であることをさらに判定する。そして、組が一致して測定機器が送信元の通信端末から所定距離範囲内において送信可能である場合、受信した状態情報を記憶し、組が一致しても測定機器が送信元の通信端末から所定距離範囲外において送信可能である場合、受信した状態情報を記憶しないよう制御する。その他の構成および動作は、第２実施形態や第３実施形態と同様であるため、同じ構成および動作については同じ符号を付してその詳しい説明を省略する。
【０１０４】
《患者情報管理システム》
図２０は、本実施形態に係る情報処理装置３２０および通信端末２１１０を含む患者情報管理システム２０００の構成を示すブロック図である。なお、図２０において、図３と同様の構成要素には同じ参照番号を付して、重複する説明を省略する。
【０１０５】
患者情報管理システム２０００において、通信端末２１１０と測定機器２１３１、２１３２は、通信端末２１１０から所定距離内でしか通信できないように構成されている。したがって、ベッドサイドで患者が測定した患者の状態情報のみを取得可能であり、他の患者の測定値が混入することを防ぐことが可能になる。
【０１０６】
（動作シーケンス）
図２１は、本実施形態に係る情報処理装置３２０および通信端末２１１０を含む患者情報管理システム２０００の動作手順を示すシーケンス図である。なお、図２１において、図４Ｂと同様のステップには同じステップ番号を付して、重複する説明を省略する。また、図２１には、測定予約時の場合を示すが、測定時の場合も同様である。
【０１０７】
測定機器の予約（Ｓ４２０）では、上段のステップＳ２１２１において、測定機器２１３１と通信端末２１１１とが設定長の有線ケーブル、例えばＵＳＢケーブルで接続される。また、下段のステップＳ２１２２において、測定機器２１３２と通信端末２１１１とが例えば設定距離内で通信確立するWi-Fiで接続される。患者の状態情報の測定（Ｓ４３０）でも、測定機器は、設定長のＵＳＢケーブルや設定距離内で通信確立するWi-Fiで接続される。
【０１０８】
《通信端末の機能構成》
図２２は、本実施形態に係る通信端末２１１０の機能構成を示すブロック図である。なお、図２２において、図７と同様の機能構成部には同じ参照番号を付して、重複する説明を省略する。
【０１０９】
アプリケーション２２０４は、測定機器ＩＤ／端末ＩＤ登録部２２５２を備える。測定機器ＩＤ／端末ＩＤ登録部２２５２は、測定予約テーブル２２５３を有し、測定機器が通信端末２１１０から設定距離内で患者の状態情報を測定できる接続形態であるかを監視する。
【０１１０】
入出力インタフェース７０２には、例えば設定長のＵＳＢケーブルで測定機器２１３１と接続されるＵＳＢコネクタ２２２３が備えられる。また、無線通信インタフェース７０３には、設定距離内でのみ測定機器２１３２に通信接続するWi-Fi制御部２２３１やビーコン制御部２２３２が含まれる。
【０１１１】
（測定予約テーブル）
図２３は、本実施形態に係る測定予約テーブル２２５３の構成を示す図である。なお、図２３において、図８と同様の構成要素には同じ参照番号を付して、重複する説明を省略する。
【０１１２】
測定予約テーブル２２５３には、各測定機器の接続状態２３０４が記憶されて、設定距離内でのみ測定機器か否かが監視される。
【０１１３】
《通信端末の処理手順》
図２４は、本実施形態に係る通信端末２１１０の処理手順を示すフローチャートである。このフローチャートは、図１２のＣＰＵ１２１０がＲＡＭ１２４０を使用して実行し、図２３の機能構成部を実現する。なお、図２４において、図１３と同様のステップには同じステップ番号を付して、重複する説明を省略する。
【０１１４】
通信端末２１１０は、測定予約の場合、ステップＳ２４３２において、設定距離内の測定機器が接続される。そして、通信端末２１１０は、ステップＳ２４３４において、接続された測定機器の接続形態が判定される。測定機器の接続形態が設定距離外も可能な形態でなければ、エラー処理をする。測定機器の接続形態が設定距離内のみの形態であれば、測定予約ができるようにする。
【０１１５】
なお、図２４においては、測定予約時に測定機器の接続形態が設定距離内のみに限定したが、測定時の測定値の記録時に限定してもよい。その場合には、記録不可にしたり不正の可能性を示す何らかの目印を不可して記録したりの選択が可能である。
【０１１６】
本実施形態においては、通信端末において測定機器までの距離を制限する処理を実行する構成として説明したが、情報処理装置としての病院管理サーバが、通信端末に接続あるいは通信確立された測定機器の機種から距離の制限を判定して、バイタル入力が患者本人のものであることを確認してもよい。その場合には、測定機器登録部に図２３の測定予約テーブルに対応するデータが登録される。
【０１１７】
本実施形態によれば、さらに通信端末から測定機器までの距離を制限するので、バイタル入力が患者本人のものであることをより確実に確認することできる。
【０１１８】
［第５実施形態］
次に、本発明の第５実施形態に係る情報処理装置および通信端末を含む患者情報管理システムについて説明する。本実施形態に係る情報処理装置および通信端末を含む患者情報管理システムは、上記第２実施形態乃至第４実施形態と比べると、通信端末と測定機器との通信確立に基づいて患者間違いを防止する点で異なる。その他の構成および動作は、第２実施形態から第４実施形態と同様であるため、同じ構成および動作については同じ符号を付してその詳しい説明を省略する。
【０１１９】
《患者情報管理システム》
図２５は、本実施形態に係る情報処理装置２５２０および通信端末２５１０を含む患者情報管理システム２５００の構成を示すブロック図である。なお、図３と重複する説明は省略する。
【０１２０】
患者情報管理システム２５００は、情報処理装置としての病院管理サーバ２５２０と、通信端末２５１０と、測定機器に付加された通信機器２５３０と、を含む。通信機器２５３０は、通信端末２５１０と設定距離内でのみ通信可能な機能を有し、測定機器に内蔵されても測定機器外に取り付けられてもよい。そして、病院管理サーバ２５２０または通信端末２５１０は、測定機器が移動して通信端末２５１０と通信機器２５３０とが所定距離範囲外となり通信が切れた場合には、測定予約を解除するなどの処理をすることによって、状態情報の測定値が患者本人のものであることをさらに確認可能とする。
【０１２１】
（患者情報管理システムの動作手順）
図２６は、本実施形態に係る情報処理装置２５２０および通信端末２５１０を含む患者情報管理システム２５００の動作手順を示すシーケンス図である。なお、図２６において、図４Ｂまたは図２１と同様のステップには同じステップ番号を付して、重複する説明を省略する。
【０１２２】
測定機器の予約（Ｓ４２０）では、通信端末２５１０が、ステップＳ２６２４において、測定機器の通信機器２５３０とWi-Fi接続したことを、測定機器ＩＤと共に記憶する。そして、予約中（Ｓ２６２０）に、通信端末２５１０が、ステップＳ２６２８において、測定機器の通信機器２５３０とWi-Fi接続が切れたことを検出して、病院管理サーバ２５２０に通知する。病院管理サーバ２５２０は、測定機器の通信機器２５３０とWi-Fi接続が切れた旨を受信して、ステップＳ２６２９において、測定予約を削除する。
【０１２３】
《通信端末の機能構成》
図２７は、本実施形態に係る通信端末２５１０の機能構成を示すブロック図である。なお、図２７において、図７と同様の機能構成部には同じ参照番号を付して、重複する説明を省略する。
【０１２４】
アプリケーション２７０４は、測定機器断検出部２７４９と、測定予約削除部２７５１と、を備える。測定機器断検出部２７４９は、測定機器の通信機器２５３０とWi-Fi接続が切れたことを検出する。そして、測定予約削除部２７５１は、測定予約の削除を病院管理サーバに指示する。
【０１２５】
《通信端末の処理手順》
図２８は、本実施形態に係る通信端末２５１０の処理手順を示すフローチャートである。なお、図２８において、図１３と同様のステップには同じステップ番号を付して、重複する説明は省略する。
【０１２６】
通信端末２５１０は、ステップＳ２８５１において、測定機器の通信機器２５３０との通信断が検出されたか否かを判定する。通信断（通信不通）が検出された場合、通信端末２５１０は、ステップＳ２８５３において、測定予約の解除を決定する。そして、通信端末２５１０は、ステップＳ２８５５において、測定予約の解除を病院管理サーバに通知する。通信端末２５１０は、ステップＳ２８５７において、病院管理サーバからの測定予約削除の通知を待つ。病院管理サーバからの測定予約削除の通知がなければ、エラー処理をする。病院管理サーバからの測定予約削除の通知があれば、通信端末２５１０は、ステップＳ２８５９において、測定予約が解除されたことを通知して、再予約を促す。
【０１２７】
なお、本実施形態においては、通信端末において測定機器との通信確立に基づく判定を実行する構成として説明したが、情報処理装置としての病院管理サーバが、通信端末と測定機器との通信確立の情報を取得して、バイタル入力が患者本人のものであることを確認してもよい。その場合には、測定機器登録部に通信端末と測定機器との通信確立に関するデータが登録される。
【０１２８】
本実施形態によれば、さらに通信端末と測定機器との通信確立を判定するので、バイタル入力が患者本人のものであることをより確実に確認することできる。
【０１２９】
［第６実施形態］
次に、本発明の第６実施形態に係る情報処理装置および通信端末を含む患者情報管理システムについて説明する。本実施形態に係る情報処理装置および通信端末を含む患者情報管理システムは、上記第２実施形態乃至第５実施形態と比べると、患者や測定機器を撮像した画像に基づいて患者間違いを防止する点で異なる。その他の構成および動作は、第２実施形態から第５実施形態と同様であるため、同じ構成および動作については同じ符号を付してその詳しい説明を省略する。
【０１３０】
《患者情報管理システム》
図２９Ａは、本実施形態に係る情報処理装置２９２０および通信端末２９１０を含む患者情報管理システム２９００の構成を示すブロック図である。なお、図２９Ａにおいて、図３と重複する説明は省略する。
【０１３１】
患者情報管理システム２９００は、情報処理装置としての病院管理サーバ２９２０と、通信端末２９１０と、撮像部（カメラ）２９１１と、測定機器３３３と、を含む。撮像部（カメラ）２９１１は、患者および測定機器３３３を含むベッド範囲を撮像する。そして、病院管理サーバ２９２０または通信端末２９１０は、撮像された患者や測定機器３３３の画像から、患者や測定機器３３３が測定予約した内容に間違いないかを確認する。なお、図２９Ａでは撮像部（カメラ）２９１１を外部に取り付けたが、通信端末２９１０に内蔵されたカメラを援用してもよい。かかる、画像による確認処理をすることによって、状態情報の測定値が患者本人のものであることをさらに確認可能とする。
【０１３２】
（動作シーケンス）
図２９Ｂは、本実施形態に係る情報処理装置２９２０および通信端末２９１０を含む患者情報管理システム２９００の動作手順を示すシーケンス図である。なお、図２９Ｂにおいて、図４ＢのＳ４３０の詳細と同様のステップには同じステップ番号を付して、重複する説明を省略する。
【０１３３】
カメラ２９１１は、ステップＳ２９３６において、患者および測定機器を含む範囲を撮像して、画像を通信端末２９１０に送信する。通信端末２９１０は、ステップＳ２９３７において、取得した撮像画像を病院管理サーバ２９２０に送信する。病院管理サーバ２９２０は、ステップＳ２９３９において、あらかじめデータベース２９４０の測定機器登録部２９４３に登録されている患者や測定機器の画像と照合して、撮像画像の患者や測定機器を確認する。
【０１３４】
なお、撮像画像の患者や測定機器の照合確認は、オブジェクトの特徴量の照合で行われる。かかるオブジェクトの特徴量抽出は、高速の病院管理サーバ２９２０で行われても、通信端末２９１０で行われて通信データを減少させてもよい。
【０１３５】
（測定機器登録部）
図３０は、本実施形態に係るデータベース２９４０内の測定機器登録部２９４３の構成を示す図である。なお、図３０において、図６と同様の構成要素には同じ参照番号を付して、重複する説明を省略する。
【０１３６】
測定予約管理テーブル２９３０は、測定予約時に、通信端末から送信された測定機器ＩＤ６３１と端末ＩＤ６３２との組と共に、撮像した画像情報３００４を記憶する。画像情報３００４は、患者特徴量や測定機器特徴量を含み、患者の状態情報の測定時に患者や測定機器の確認に使用される。
【０１３７】
《通信端末の機能構成》
図３１は、本実施形態に係る通信端末２９１０の機能構成を示すブロック図である。なお、図３１において、図７と同様の機能構成部には同じ参照番号を付して、重複する説明を省略する。
【０１３８】
アプリケーション３１０４は、画像取得部３１４９と、画像送信部３１５０と、を含む。画像取得部３１４９は、撮像部（カメラ）２９１１からベッド付近の患者および測定機器の画像を取得する。画像送信部３１５０は、取得した画像を病院管理サーバに送信する。なお、通信端末２９１０においてオブジェクトの特徴量を抽出する場合は、特徴量抽出部を含む。
【０１３９】
入出力インタフェース７０２には、外部の撮像部（カメラ）あるいは内蔵の撮像部（カメラ）２９１１が接続される。
【０１４０】
《病院管理サーバの処理手順》
図３２は、本実施形態に係る情報処理装置２９２０としての病院管理サーバの処理手順を示すフローチャートである。なお、図３２において、図１１と同様のステップには同じステップ番号を付して、重複する説明を省略する。
【０１４１】
測定機器による測定値の受信時に、情報処理装置２９２０は、ステップＳ３２４２において、患者および撮像機器の画像を通信端末２９１０から取得する。そして、情報処理装置２９２０は、ステップＳ３２４５において、予約時に登録された測定機器ＩＤと端末ＩＤとの組と共に、患者および測定機器の画像特徴量を照合する。
【０１４２】
なお、本実施形態においては、患者や測定機器を撮像した画像に基づく患者判定を情報処理装置としての病院管理サーバで行ったが、各通信端末に特徴量をダウンロードして通信端末で行ってもよい。
【０１４３】
本実施形態によれば、さらに患者や測定機器を撮像した画像を判定するので、バイタル入力が患者本人のものであることをより確実に確認することできる。
【０１４４】
［第７実施形態］
次に、本発明の第７実施形態に係る情報処理装置および通信端末を含む患者情報管理システムについて説明する。本実施形態に係る情報処理装置および通信端末を含む患者情報管理システムは、上記第２実施形態乃至第６実施形態と比べると、通信端末を識別する識別情報を通信端末におけるあらゆる入出力の認証情報として使用する点で異なる。その他の構成および動作は、第２実施形態から第６実施形態と同様であるため、同じ構成および動作については同じ符号を付してその詳しい説明を省略する。
【０１４５】
《患者情報管理システム》
図３３は、本実施形態に係る情報処理装置３３２０および通信端末２１０を含む患者情報管理システム３３００の構成を示すブロック図である。なお、図３３において、図３と重複する説明は省略する。
【０１４６】
患者情報管理システム３３００にいて、各通信端末２１０はベッドサイド端末として、そのベッドを使用する患者と紐付けされている。情報処理装置３３２０としての病院管理サーバは、通信端末２１０との全ての入出力データについて、通信端末２１０のそれぞれを固有に識別する端末ＩＤを、データ入出力の入力元／出力先を示すデータのみではなく、データ認証においても使用する。この処理により、患者情報の信頼性をさらに高めることができる。
【０１４７】
（動作シーケンス）
図３４は、本実施形態に係る情報処理装置３３２０および通信端末２１０を含む患者情報管理システム３３００の動作手順を示すシーケンス図である。図３４において、図４Ａと同様のステップには同じステップ番号を付して、重複する説明は省略する。
【０１４８】
病院管理サーバ３３２０は、ステップＳ３４０５において、患者ＩＤの確認のみでなく、患者ＩＤと患者ＩＤの送信元の端末ＩＤとの組の照合により確認をして、確認できた場合のみに患者情報を通信端末２１０に提供する。
【０１４９】
また、病院管理サーバ３３２０は、ステップＳ３４１３において、医療従事者ＩＤの確認のみでなく、医療従事者ＩＤと医療従事者ＩＤの送信元の端末ＩＤとの組の照合により確認をして、確認できた場合のみに患者情報入力画面を通信端末２１０に提供する。
【０１５０】
《病院管理サーバの機能構成》
図３５は、本実施形態に係る情報処理装置３３２０としての病院管理サーバの機能構成を示すブロック図である。なお、図３５において、図５と同様の機能構成部には同じ参照番号を付して、重複する説明を省略する。
【０１５１】
データベース３４４０の患者登録部３４４１と医療従事者登録部２４４２において、患者または医療従事者の登録が使用される通信端末の端末ＩＤとの組として登録される。
【０１５２】
（患者登録部および医療従事者登録部）
図３６は、本実施形態に係るデータベース３４４０内の患者登録部３４４１および医療従事者登録部３４４２の構成を示す図である。
【０１５３】
患者登録部３４４１は、患者を識別する患者ＩＤ３６１１と、患者が使用する通信端末２１０を識別する使用端末ＩＤ３６１２との組に対応付けて、例えば、使用ベット番号３６１３などの情報が登録される。
【０１５４】
また、医療従事者登録部３４４２は、医療従事者を識別する医療従事者ＩＤ３６２１に対応付けて、担当する患者ＩＤ３６２２、患者が使用する通信端末２１０を識別する使用端末ＩＤ３６２３、使用ベット番号３６２４などの情報が登録される。
【０１５５】
患者登録部３４４１および医療従事者登録部３４４２により、患者情報の入出力には常に、使用する通信端末２１０の端末ＩＤを入出力データの認証に使用することができる。
【０１５６】
《病院管理サーバの処理手順》
図３７は、本実施形態に係る情報処理装置３３２０としての病院管理サーバの処理手順を示すフローチャートである。なお、図３７において、図１１と同様のステップには同じステップ番号を付して、重複する説明を省略する。
【０１５７】
患者ＩＤの受信時に、情報処理装置３３２０は、ステップＳ３７１３において、患者ＩＤのみでなく患者ＩＤと端末ＩＤとの組で照合を行う。そして、情報処理装置３３２０は、ステップＳ３７１７において、患者ＩＤと端末ＩＤとの組に対応付けて格納された患者情報をデータベース３４４０から取得する。
【０１５８】
また、医療従事者ＩＤの受信時、情報処理装置３３２０は、ステップＳ３７２３において、医療従事者ＩＤのみでなく医療従事者ＩＤと端末ＩＤとの組で照合を行う。
【０１５９】
本実施形態によれば、通信端末がベッドサイド端末として配置されている場合に、通信端末におけるあらゆる入出力の認証精度を高めることができる。したがって、バイタル入力が患者本人のものであることをより確実に確認することできる。
【０１６０】
［他の実施形態］
なお、上記実施形態においては、通信端末がベッドサイド端末として配置されている場合の構成および動作について説明したが、通信端末が医療従事者が携帯する携帯端末である場合においても、同様の効果を奏すことが明らかである。
【０１６１】
また、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１６２】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【要約】
【課題】患者の状態に関する状態情報を測定するために予約された測定機器から、予約された測定機器の第１識別情報を取得する第１取得部と、第１識別情報を事前登録する登録部と、状態情報を測定した測定機器から、測定した測定機器の第２識別情報と状態情報とを取得する第２取得部と、第１識別情報と第２識別情報とを比較する比較部と、比較部の比較の結果、第１識別情報と第２識別情報とが一致していることを条件として、第２取得部が取得した状態情報を情報処理装置に送信する送信部と、を備えた。
【選択図】  図７【図１】
0006423120.tif 000002
【図２Ａ】
0006423120.tif 000003
【図２Ｂ】
0006423120.tif 000004
【図３】
0006423120.tif 000005
【図４Ａ】
0006423120.tif 000006
【図４Ｂ】
0006423120.tif 000007
【図５】
0006423120.tif 000008
【図６】
0006423120.tif 000009
【図７】
0006423120.tif 000010
【図８】
0006423120.tif 000011
【図９】
0006423120.tif 000012
【図１０】
0006423120.tif 000013
【図１１】
0006423120.tif 000014
【図１２】
0006423120.tif 000015
【図１３】
0006423120.tif 000016
【図１４】
0006423120.tif 000017
【図１５】
0006423120.tif 000018
【図１６】
0006423120.tif 000019
【図１７】
0006423120.tif 000020
【図１８】
0006423120.tif 000021
【図１９】
0006423120.tif 000022
【図２０】
0006423120.tif 000023
【図２１】
0006423120.tif 000024
【図２２】
0006423120.tif 000025
【図２３】
0006423120.tif 000026
【図２４】
0006423120.tif 000027
【図２５】
0006423120.tif 000028
【図２６】
0006423120.tif 000029
【図２７】
0006423120.tif 000030
【図２８】
0006423120.tif 000031
【図２９Ａ】
0006423120.tif 000032
【図２９Ｂ】
0006423120.tif 000033
【図３０】
0006423120.tif 000034
【図３１】
0006423120.tif 000035
【図３２】
0006423120.tif 000036
【図３３】
0006423120.tif 000037
【図３４】
0006423120.tif 000038
【図３５】
0006423120.tif 000039
【図３６】
0006423120.tif 000040
【図３７】
0006423120.tif 000041